(57)【要約】【課題】  引戸の戸板の厚みのばらつき、及び、戸板の木口端を切り欠いて切欠部を形成する際に生じる引戸の高さ方向のばらつきがあったとしても見栄え良く引戸の切欠部に装着することが可能な引手を提供する。【解決手段】  引戸３０の木口端３１に形成された切欠部３２に装着する引手１００であって、引手１００は、木口端３１側に位置する第一手掛かり部１１と、引手底面部１２と、を有する第一引手部材１０と、切欠部３２の切欠面３２a側に嵌合する一対の第二手掛かり部２１、２１を有する第二引手部材２０と、からなり、第二引手部材２０は、左右一対の第二手掛かり部２１、２１からなるものであって、この第二手掛かり部２１、２１は、切欠部３２の切欠面３２ａに配置され、その第二手掛かり部２１、２１から延設された第一重ね合わせ部２３ａ、及び、第二重ね合わせ部２３ｂを有することを特徴とする。【選択図】図２
2018012991.tif 000002
【特許請求の範囲】
【請求項１】
引戸の木口端に形成された切欠部に装着する引手であって、該引手は、前記木口端側に位置する第一手掛かり部と、引手底面部と、を有する第一引手部材と、前記切欠部に嵌合して、前記切欠部の切欠面側に位置する第二手掛かり部を有する一対の第二引手部材と、からなり、前記第二手掛かり部は、一対の前記第二手掛かり部を前記切欠部に嵌合した状態において、重ね合わせ得る重ね合わせ部を有することを特徴とする引手。
【請求項２】
重ね合わせ部は、一対の第二手掛かり部の前記重ね合わせ部同士を重ね合わせた重合状態において、共通の固定具を挿入して切欠部に前記第二手掛かり部を固定し得る開孔部を有することを特徴とする請求項１記載の引手。  
【請求項３】
重ね合わせ部は、第一重ね合わせ部と、第二重ね合わせ部と、からなり、前記第一重ね合わせ部と前記第二重ね合わせとの間に段差を有することを特徴とする請求項１又は２のいずれか一項に記載の引手。
【請求項４】
重ね合わせ部は、一対の第二手掛かり部の前記重ね合わせ部同士を重ね合わせた重合状態において、該重合状態を保持する係合部を有することを特徴とする請求項１ないし３のいずれか一項に記載の引手。
【請求項５】
第一手掛かり部は、一対の第二手掛かり部の重ね合わせ部同士を重ね合わせた重合状態において、前記重ね合わせ部の凹部によって形成される第二開孔部を介して、切欠面に固定する固定手段を有することを特徴とする請求項１ないし４のいずれか一項に記載の引手。
【発明の詳細な説明】
【技術分野】
【０００１】
本発明は、引戸の木口端に形成された切欠部に装着する引手に関する。
【背景技術】
【０００２】
従来、戸袋内に引戸全体を収納する構造を備えた引戸を閉める際に、引戸の戸板に設けられた引手に手を掛けたまま引戸を戸袋に収納してしまうと、手指を戸袋内に巻き込んで怪我をするおそれがあった。この欠点を解決するため、引戸の戸板の木口端に切欠部を形成し、戸袋内に手指の巻き込みを防ぐ構造を有する種々の引手及びその引手を備えた引戸が提案されている。
【０００３】
例えば特許文献１記載の発明によれば、一対のコ字状フレームを有し、そのコ字状フレームを戸板の両面から切欠部に装着することで多種の戸板厚に対応させるとともに、手がかり部を戸板厚よりも細くすることで戸袋に手指の巻き込みを防止することが可能な引手が開示されている。
【先行技術文献】
【特許文献】
【０００４】
【特許文献１】特開２０１５―２００１３５号公報
【発明の概要】
【発明が解決しようとする課題】
【０００５】
しかしながら、引戸の木口端に引手を装着するための切欠部を切り欠いて形成する際に、装着する引手の外形の寸法よりも若干大きく切り欠くため、切欠部における引戸の高さ方向の形状にばらつきが生じることが避けられない。そのため、別体で形成されたフレーム部材を嵌合して装着する引手であっても、この形状のばらつきによって引戸の高さ方向にずれが生じてしまい、見栄え良く引手を切欠部に装着することが難しかった。
【０００６】
したがって、戸板の厚みのばらつき（例えば戸板を製造する際に生じる厚み０．５ｍｍ程度のばらつき）、及び、木口端を切り欠いて形成された切欠部に生じる引戸高さ方向のばらつきなどがあったとしても見栄え良く引戸に装着することが可能な引手を提供することを目的とする。
【課題を解決するための手段】
【０００７】
本発明は、上記課題に鑑み、引戸の木口端に形成された切欠部に装着する引手であって、該引手は、前記木口端側に位置する第一手掛かり部と、引手底面部と、を有する第一引手部材と、前記切欠部に嵌合して、前記切欠部の切欠面側に位置する第二手掛かり部を有する一対の第二引手部材と、からなり、前記第二手掛かり部は、一対の前記第二手掛かり部を前記切欠部に嵌合した状態において、重ね合わせ得る重ね合わせ部を有することを特徴とする。
【０００８】
また、上述した構成に加え、重ね合わせ部は、一対の第二手掛かり部の前記重ね合わせ部同士を重ね合わせた重合状態において、共通の固定具を挿入して切欠部に前記第二手掛かり部を固定し得る開孔部を有することが好ましい。
【０００９】
また、上述した構成に加え、重ね合わせ部は、第一重ね合わせ部と、第二重ね合わせ部と、からなり、前記第一重ね合わせ部と前記第二重ね合わせとの間に段差を有することが好ましい。
【００１０】
また、上述した構成に加え、重ね合わせ部は、一対の第二手掛かり部の前記重ね合わせ部同士を重ね合わせた重合状態において、該重合状態を保持する係合部を有することが好ましい。
【００１１】
また、上述した構成に加え、第一手掛かり部は、一対の第二手掛かり部の重ね合わせ部同士を重ね合わせた重合状態において、前記重ね合わせ部の凹部によって形成される第二開孔部を介して、切欠面に固定する固定手段を有することが好ましい。
【発明の効果】
【００１２】
請求項１記載の発明によれば、第二引手部材を構成する一対の第二手掛かり部を引戸の切欠部に嵌合させることで戸板の厚みのばらつきによらずに装着することができるとともに、第二手掛かり部の重ね合わせ部によって、切欠部の引戸高さ方向の形状のばらつきにかかわらず、第二引手部材を切欠部に嵌合させて装着することができるため、施工しやすく見栄え良く装着することができる引手を提供することが可能である。
【００１３】
請求項２記載の発明によれば、重ね合わせ部に開孔部を設けることで共通の固定具を挿入して第二引手部材を切欠面に固定することができ、部品点数が少なくなるとともに、容易に装着施工することが可能である。
【００１４】
請求項３記載の発明によれば、重ね合わせ部は、第一重ね合わせ部と第二重ね合わせ部とからなり、第一重ね合わせ部と第二重ね合わせ部との間に段差を有することで、一方の第二手掛かり部の第一重ね合わせ部と、他方の第二手掛かり部の第二重ね合わせ部とを重ね合わせることができるため、一対の第二手掛かり部を備えた第二引手部材を一つの金型等で一体的に製造することができるので、製造コストを低減し安価な引手を提供することが可能である。
【００１５】
請求項４記載の発明によれば、重ね合わせ部に係合部を設けることで、より強固に重合状態を保持することができ、引戸の高さ方向の切欠部の形状のばらつきによる装着時の引手と切欠部とのズレを防止することが可能である。
【００１６】
請求項５記載の発明によれば、一対の第二手掛かり部を切欠部に嵌合して装着した状態の際に生じる重ね合わせ部同士の隙間に第二開孔部を介して固定される第一引手部材によって覆い隠すことができるため、より見栄え良く引手を切欠部に装着することが可能である。
【図面の簡単な説明】
【００１７】
【図１】本発明の実施形態に係る引手の一例を示す斜視図である。
【図２】図１の引手の分解斜視図である。
【図３】図１の第二引手部材のみを示す(ａ)正面側から見た分解斜視図、及び、(ｂ)背面側から見た分解斜視図である。
【図４】図３の第二引手部材の重合状態を背面側から見た斜視図である。
【図５】図１の (ａ)A−A線拡大断面図、(ｂ)B−B線拡大断面図である。
【発明を実施するための形態】
【００１８】
本発明の実施形態について図面に基づいて詳細に説明する。
【００１９】
（実施形態）
本発明は、図１及び図２に示すように、引戸３０の木口端３１に形成された切欠部３２に装着する引手１００であって、引手１００は、木口端３１側に位置する第一手掛かり部１１と引手底面部１２とを有する第一引手部材１０と、切欠部３２の切欠面３２ａ側に嵌合する一対の第二手掛かり部２１、２１を有する第二引手部材２０と、を主要部として形成されるものである。
【００２０】
第一引手部材１０は、図２及び図５(b)に示すように、木口端３１と平行に配置された第一手掛かり部１１と、その第一手掛かり部１１から切欠面３２ａ方向に略垂直に立設された引手底面部１２と、からなるものであり、この第一手掛かり部１１における戸板３３の厚み方向の幅は、戸板３３の厚みに比べて狭くすることが好ましい。
【００２１】
さらに、この第一引手部材１０は、図２及び図５(ａ)に示すように、この第一引手部材１０における第一手掛かり部１１の上端及び下端に、後述する第二引手部材２０の第二開孔部２７、２７を介して切欠面３２ａに固定するための固定手段として、固定具１３、１３と開孔部１５、１５を備えることが好ましく、また、この開孔部１５、１５に固定具１３、１３を挿入して切欠面３２ａに固定した後、固定具１３、１３及び開孔部１５、１５を覆い隠すために開孔部１５、１５に嵌入し得る略Ｕ字状のカバー１４、１４を有するものとするとよい。
【００２２】
第二引手部材２０は、図２及び図３に示すように、切欠部３２に嵌合し得るように側面から見るといずれも略コ字状に形成され、この切欠部３２に嵌合して切欠面３２ａに位置する左右一対の第二手掛かり部２１、２１を有するものである。さらに、この第二手掛かり部２１、２１は、その第二手掛かり部２１、２１から切欠面３２ａに沿って延設された重ね合わせ部（第一重ね合わせ部２３ａ、第二重ね合わせ部２３ｂ）を有する。また、この第二引手部材２０は、第二手掛かり部２１、２１と戸板３３との隙間を隠すように戸板３３の表面と当接する鍔部２２を有するものとするとよい。
【００２３】
この２つの第一重ね合わせ部２３ａと第二重ね合わせ部２３ｂとからなる重ね合わせ部は、図３に示すように、第一重ね合わせ部２３ａと第二重ね合わせ部２３ｂとの間に第二手掛かり部２１、２１の厚み方向の段差２８を有し、段状に配設されるものである。この第二手掛かり部２１、２１の厚み方向の段差２８を有する重ね合わせ部の形状によって、左右一対の第二手掛かり部２１、２１を切欠部３２に嵌合した状態において、一方の第二手掛かり部２１の第一重ね合わせ部２３ａと、他方の第二手掛かり部２１の第二重ね合わせ部２３ｂと、が重なり合わされて重合状態となるものである（図４参照）。この重ね合わせ部は、この重合状態において、切欠面３２ａまで貫通する開孔部２５、２５を備えている。
【００２４】
この開孔部２５、２５は、第一重ね合わせ部２３ａ又は第二重ね合わせ部２３ｂの少なくともどちらか一方の開孔部２５、２５を戸板３３の厚みの幅方向の横長状に形成することで、開孔部２５、２５の重ね合わせる位置を幅方向に調整できるため、厚みにばらつきのある戸板３３を有する引戸３０に引手１００を装着することが可能である。本実施形態においては、図３に示すように、第二重ね合わせ部２３ｂの開孔部２５を幅方向の横長状に形成している。    
【００２５】
この第二重ね合わせ部２３ｂは、図４に示すように、左右一対の第二手掛かり部２１、２１の重合状態において、段状に嵌合し得るように、第二手掛かり部２１、２１の中央付近において上下方向の段差２９を有することが好ましく、さらに、一方の第二手掛かり部２１の第一重ね合わせ部２３ａの係合凸部２４ａと、他方の第二手掛かり部２１の第二重ね合わせ部２３ｂの係合凹部２４ｂと、が係合するようにしておくとよい。  
【００２６】
左右一対の第二手掛かり部２１、２１における２つの第二開孔部２７、２７は、図３及び図４に示すように、第一重ね合わせ部２３ａ及び第二重ね合わせ部２３ｂの略半円形状の凹部２７ａ、２７ａが、第一重ね合わせ部２３ａと第二重ね合わせ部２３ｂとを重ね合わせた重合状態において、略円形状となって形成されたものであり、この第二開孔部２７、２７を介して固定具１３、１３で切欠面３２ａに第一手掛かり部１１を固定させ得るものである。
【００２７】
したがって、上述した引手１００は、第二引手部材２０を構成する左右一対の第二手掛かり部２１、２１を引戸３０の切欠部３２に嵌合させることで、厚みにばらつき（例えば戸板を製造する際に生じる０．５ｍｍ程度のばらつき）のある戸板３３を有する引戸３０に装着することができるとともに、左右一対の第二手掛かり部２１、２１の２つの重ね合わせ部（第一重ね合わせ部２３ａ、第二重ね合わせ部２３ｂ）によって、切欠部３２における引戸３０高さ方向の形状のばらつきによらずに第二引手部材２０を切欠部３２に嵌合させて装着することができ、施工しやすく見栄え良く装着することができる引手１００を提供することが可能である。
【００２８】
また、２つの重ね合わせ部（第一重ね合わせ部２３ａ、第二重ね合わせ部２３ｂ）に共通する開孔部２５、２５を設け、この開孔部２５、２５に共通の固定具２６、２６を挿入して共締めすることで第二引手部材２０を切欠面３２ａに固定することができるため、部品点数が少なくするとともに、容易に装着することが可能である。
【００２９】
また、重ね合わせ部は、第一重ね合わせ部２３ａと第二重ね合わせ部２３ｂとの間に段差２８を有することで、一方の第二手掛かり部２１の第一重ね合わせ部２３ａと、他方の第二手掛かり部２１の第二重ね合わせ部２３ｂとを重ね合わせることができるため、第二手掛かり部２１を備えた第二引手部材２０を一つの金型等で一体的に製造することができるので、製造コストを低減し安価な引手１００を提供することが可能である。
【００３０】
また、第二手掛かり部２１、２１の上下方向の段差２９、及び、第一重ね合わせ部２３ａの係合凸部２４ａと第二重ね合わせ部２３ｂの係合凹部２４ｂとからなる係合部２４を設けることで、より強固に重合状態を保持することができ、切欠部３２における引戸３０の高さ方向のばらつきによる第二引手部材２０の左右一対の第二手掛かり部２１、２１同士のずれをより防止することが可能である。
【００３１】
また、左右一対の第二手掛かり部２１、２１を切欠部３２に嵌合した状態の際に生じる２つの重ね合わせ部（第一重ね合わせ部２３ａ、第二重ね合わせ部２３ｂ）同士の隙間を、第二開孔部２７、２７を介して固定される第一引手部材１０によって覆い隠すことでき、より見栄え良く引手１００を切欠部３２に装着することが可能である。
【符号の説明】
【００３２】
100…引手、10…第一引手部材、11…第一手掛かり部、12…引手底面部、13…固定具（ねじ）、14…カバー、15…開孔部、20…第二引手部材、21…第二手掛かり部、22…鍔部、23ａ…第一重ね合わせ部、23ｂ…第二重ね合わせ部、24ａ…係合凸部、24ｂ…係合凹部、25…開孔部、26…固定具（ねじ）、27…第二開孔部、27ａ…凹部、28…段差（第二手掛かり部の厚み方向）、29…段差（第二手掛かり部の上下方向）、30…引戸、31…木口端、32…切欠部、32ａ…切欠面、33…戸板
【図１】
2018012991.tif 000003
【図２】
2018012991.tif 000004
【図３】
2018012991.tif 000005
【図４】
2018012991.tif 000006
【図５】
2018012991.tif 000007